(57)【要約】【課題】建屋に床の穴開けなどの大規模工事をすることなく、縦配線路のサポート数を少なくして、建屋の居住者に光ケーブルを短期間にかつ低コストの工事で、敷設することにある。【解決手段】外部通信ケーブル３を各階に設けられた分配器１１に接続する建屋内外部通信伝送路において、各階の天井裏５２に接する昇降路壁３２または天井裏５２の中に設けられた外部通信ケーブル接続コネクタ８と分配器１１とを同一階において接続する分配器接続ケーブル７と、各外部通信ケーブル接続コネクタ８間を接続するために昇降路３０内に配置された外部通信渡りケーブル５を設置する。外部通信ケーブル接続コネクタ８は、各階の床上と接する昇降路壁３２、床上に設けられた接続箱５５の中、各階の上げ床部と接する昇降路壁３２または上げ床内部に設ける。【選択図】図１
2007121617.tif 000002
【特許請求の範囲】
【請求項１】
外部通信ケーブルを各階に設けられた分配器に接続する建屋内外部通信伝送路において、
各階の天井裏に接する昇降路壁または天井裏の中に設けられた外部通信ケーブル接続コネクタと前記分配器とを同一階において接続する分配器接続ケーブルと、
各前記外部通信ケーブル接続コネクタ間を接続するために昇降路内に配置された外部通信渡りケーブルと、
を含む建屋内外部通信伝送路。
【請求項２】
外部通信ケーブル接続コネクタは、各階の床上と接する昇降路壁または、床上に設けられた接続箱の中に設けられたことを特徴とする請求項１に記載の建屋内外部通信伝送路。
【請求項３】
外部通信ケーブル接続コネクタは、各階の上げ床部と接する昇降路壁または上げ床内部に設けられたことを特徴とする請求項１に記載の建屋内外部通信伝送路。
【請求項４】
外部通信ケーブルを各階の昇降路内に設けられた分配器に接続する建屋内外部通信伝送路において、
各階の昇降路壁に設けられた外部通信ケーブル接続コネクタと前記分配器とを同一階において接続する分配器接続ケーブルと、
各前記外部通信ケーブル接続コネクタ間を接続するために昇降路内に配置された外部通信渡りケーブルと、
を含む建屋内外部通信伝送路。
【請求項５】
各階に設けられた天井裏の中に設けられた外部通信ケーブル接続コネクタと各階に設けられた分配器とを同一階において接続する分配器接続ケーブルと、
各前記外部通信ケーブル接続コネクタ間を接続するために昇降路内に配置された外部通信渡りケーブルと、
を有する建屋内外部通信伝送路の外部通信渡りケーブルの敷設方法であって、
上方階の天井裏の昇降路壁の孔に、曲がり管状のケーブル挿入ガイドを、天井裏側を略水平にし、昇降路内側を略垂直下向きとなるように設定する工程と、
下方階の天井裏の昇降路壁の孔に、曲がり管状のケーブル引き出しガイドを、天井裏側を略水平にし、昇降路内側を略垂直上向きで、前記ケーブル挿入ガイドの出口と前記ケーブル引き出しガイドの受け口が対向する位置になるように設定する工程と、
前記上方階のケーブル挿入ガイドに外部通信渡りケーブルを挿入し、前記下方階のケーブル引き出しガイドの天井裏側から前記外部通信渡りケーブルを引き出す工程と、
を備えることを特徴とする外部通信渡りケーブルの敷設方法。
【請求項６】
下方階のケーブル引き出しガイドの天井裏から外部通信渡りケーブルを引き出す工程は、前記下方階のケーブル引き出しガイドの呼び出し用操作盤側から吸引機で前記外部通信渡りケーブルを吸引し、引き出しすること、
を特徴とする請求項５に記載の外部通信渡りケーブルの敷設方法。
【請求項７】
外部通信ケーブル接続コネクタは、各階床上に設けられた接続箱の中に設けられ、床上に設けられた接続箱と昇降路との間の昇降路壁の孔に、ケーブル挿入ガイド及びケーブル引き出しガイドを設けること、
を特徴とする請求項６または７に記載の外部通信渡りケーブルの敷設方法。
【請求項８】
外部通信ケーブル接続コネクタは、各階の上げ床の中に設けられ、上げ床と昇降路との間の昇降路壁の孔に、ケーブル挿入ガイド及びケーブル引き出しガイドを設けること、
を特徴とする請求項６または７に記載の外部通信渡りケーブルの敷設方法。
【発明の詳細な説明】
【技術分野】
【０００１】
本発明は、建屋内に設けられる外部との通信伝送路及び建屋内での通信ケーブルの敷設方法に関する。
【背景技術】
【０００２】
近年、インターネットなどの普及に伴って、高速大容量の通信伝送路は必須の要件となりつつある。また、従来このような大容量通信伝送路が必要なかった中小の事務所ビルあるいは集合住宅などにおいてもその必要性が増してきている。これらの通信伝送路は、ＬＡＮ（Ｌｏｃａｌ  Ａｒｅａ  Ｎｅｔｗｏｒｋ）の利用等を目的として光ケーブルを敷設することによって構成することが多くなされている。
【０００３】
図５に光ケーブルによる通信伝送路網を示す。基幹光ケーブル１０１によって各基幹局１０７が接続され基幹光ネットワークが形成される。各基幹局１０７には基幹分配器１０８が設けられ、基幹光ケーブ１０１を各幹線光ケーブル１０２に分岐する。各幹線光ケーブル１０２は分岐点１０９にて各建物１１４に向かう支線光ケーブル１０３を分岐する。各支線光ケーブル１０３は各建物１１４の主配線盤１１０に接続される。主配線盤１１０からは建屋内光ケーブル１０４によって建物各階の分配器１１１に接続され、各分配器から個別光ケーブル１０６によって各個の端末１１２に接続されている。各個別の住宅１１７に接続する時には、幹線光ケーブル１０２の分岐点１０９から光ドロップケーブル１１６によって接続器１１３に接続され、ここから屋内の個別光ケーブル１０６によって各個の端末１１２に接続される。
【０００４】
上記の基幹光ケーブル１０１、幹線光ケーブル１０２、支線光ケーブル１０３、建屋内光ケーブル１０４は、複数の大容量あるいは中小容量回線であることから、図６（ａ）のように、数十から数百のテープ心線１２１を溝つきスペーサ１２２のスロット１２６に収容し外面を押さえ巻き１２４およびポリエチレンシース１２５で覆ったテープスロット型ケーブル１２０が用いられる。また、個別光ケーブル１０６には図６（ｂ）のような１つのテープ心線１２１の周りをポリエチレンシース１２５で覆ったインドアケーブル１３０が用いられる。テープ心線１２１は石英ガラスでできている非常に脆弱な光ファイバを保護するために、その周囲を紫外線硬化樹脂で覆った心線を複数本並べてさらに紫外線硬化樹脂で覆ったものである。また、光ケーブルの敷設時に光ファイバに張力がかかり破損することを防止するためにテープスロット型ケーブル、インドアケーブルともに鋼線からなるテンションメンバ１２３が埋め込まれている。
【０００５】
光ファイバはその特性上、曲がると伝播特性が劣化したり、破損が生じたりすることから、各ケーブルに最小曲げ半径が規定されている。幹線光ケーブル１０２に用いられる、数百心をまとめた大容量のテープスロット型ケーブルではその最小曲げ半径は３００〜６００ｍｍ、支線光ケーブル１０３、建屋内光ケーブル１０４に用いられる数十心をまとめた中小容量のテープスロット型ケーブルでもその最小曲げ半径は１００〜２００ｍｍで、個別光ケーブル１０６に用いられる単心のインドアケーブルでは１５〜３０ｍｍ程度となっている。このため、建屋内光ケーブル１０４は専用の直線状の縦配線路に設置され、分配器からの個別光ケーブル１０６は各個への曲げ配管の中に設置されている。
【発明の開示】
【発明が解決しようとする課題】
【０００６】
古いビル、あるいは中小の事務所ビルあるいは集合住宅はこのような光ファイバケーブルによる高速大容量の通信伝送路を設置することを考慮した設計となっていないため、上記のような直線状の縦配線路を設置できるようなスペースがなく、光ファイバケーブルによる高速大容量の通信伝送路を敷設できない状況が発生してきている。いくつかの曲がり配線路がある場合には、主配線盤１１０のそばに分配器１１１を配置し、そこから各個の端末まで個別光ケーブル１０６を敷設することが考えられるが、少数のケーブルの場合は可能であっても、数百箇所もの端末があるビルや集合住宅では、このような大規模な個別光ケーブルを設置することは困難で、実質的には光ファイバケーブルによる高速大容量の通信伝送路を敷設することは非常に困難であった。
【０００７】
そこで、このような建物内へ光ケーブルを敷設する場合は、建物の各階の床に穴開けし、建物の縦方向に光ケーブルを敷設する縦配線路を設けていた。そのために、まず各階の床をＸ線による非破壊検査等で検査して、床の中に埋め込まれている電気ケーブルや配管の位置を事前調査し、それらの場所を避けて床に穴開け施工して、その穴に直線状の縦配線管を設置して、配管中に光ケーブルを敷設する方法が行われている。
【０００８】
しかし、建物の各階の床に穴開け施工を行うことは、非破壊検査等による事前調査と床が厚いことによる大規模工事が必要になることから、工期とコストが増大するという問題があった。また、光ファイバケーブルは光ファイバに張力を掛けないように設置することが必要なことから、縦配線路に多くのサポートをとることが必要で、工期とコストが増大するという問題があった。
【０００９】
そこで、建屋に床の穴開けなどの大規模工事をすることなく、縦配線路のサポート数を少なくして、建屋の居住者に光ケーブルを短期間にかつ低コストの工事で、敷設することが可能な建屋内外部通信伝送路を提供することにある。
【課題を解決するための手段】
【００１０】
本発明の目的は、外部通信ケーブルを各階に設けられた分配器に接続する建屋内外部通信伝送路において、各階の天井裏に接する昇降路壁または天井裏の中に設けられた外部通信ケーブル接続コネクタと分配器とを同一階において接続する分配器接続ケーブルと、各外部通信ケーブル接続コネクタ間を接続するために昇降路内に配置された外部通信渡りケーブルとを含む建屋内外部通信伝送路によって達成することができる。そして、外部通信ケーブル接続コネクタは、各階の床上と接する昇降路壁または、床上に設けられた接続箱の中に設けられてもよいし、各階の上げ床部と接する昇降路壁または上げ床内部に設けられてもよい。
【００１１】
本発明の目的は、各階の昇降路内に設けられた分配器に接続する建屋内外部通信伝送路において、各階の昇降路壁に設けられた外部通信ケーブル接続コネクタと分配器とを同一階において接続する分配器接続ケーブルと、各外部通信ケーブル接続コネクタ間を接続するために昇降路内に配置された外部通信渡りケーブルとを含む建屋内外部通信伝送路によって達成することができる。
【００１２】
さらに、本発明の目的は、各階に設けられた天井裏の中に設けられた外部通信ケーブル接続コネクタと各階に設けられた分配器とを同一階において接続する分配器接続ケーブルと、各外部通信ケーブル接続コネクタ間を接続するために昇降路内に配置された外部通信渡りケーブルとを有する建屋内外部通信伝送路の外部通信渡りケーブルの敷設方法であって、上方階の天井裏の昇降壁の孔に、曲がり管状のケーブル挿入ガイドを、天井裏側を略水平にし、昇降路内側を略垂直下向きとなるように設定する工程と、下方階の天井裏の昇降壁の孔に、曲がり管状のケーブル引き出しガイドを、天井裏側を略水平にし、昇降路内側を略垂直上向きで、ケーブル挿入ガイドの出口とケーブル引き出しガイドの受け口が対向する位置になるように設定する工程と、上方階のケーブル挿入ガイドに外部通信渡りケーブルを挿入し、下方階のケーブル引き出しガイドの天井裏側から外部通信渡りケーブルを引き出す工程とを備えることを特徴とする外部通信渡りケーブルの敷設方法によっても達成することができる。下方階のケーブル引き出しガイドの天井裏から外部通信渡りケーブルを引き出す工程において、下方階のケーブル引き出しガイドの呼び出し用操作盤側から吸引機で外部通信渡りケーブルを吸引し、引き出ししてもよいし、外部通信ケーブル接続コネクタは、各階床上に設けられた接続箱の中に設けられ、床上に設けられた接続箱と昇降路との間の昇降路壁の孔に、ケーブル挿入ガイド及びケーブル引き出しガイドを設けることとしてもよい。
【発明の効果】
【００１３】
本発明による建屋内外部通信伝送路は、建屋の昇降機の昇降路内に外部通信ケーブルを配置するため、床の非破壊検査等による事前調査や穴開け施工が不要で光ケーブルの敷設が容易になり、建屋内の居住者に外部通信伝送路を短期間にかつ低コストの工事で、敷設することができるという効果を奏する。
【発明を実施するための最良の形態】
【００１４】
以下に図面を用いて本発明に係る実施の形態につき、詳細に説明する。図１は本発明の第１の実施形態の建屋内外部通信伝送路の説明図、図２は本発明の第２の実施形態の建屋内外部通信伝送路の説明図、図３は本発明の第３の実施形態の建屋内外部通信伝送路の説明図である。
【実施例１】
【００１５】
図１は、建屋１の中に設置された昇降機２の昇降路３０とその中に配置された、昇降機の制御用ケーブル配置と建屋内外部通信伝送路を示している。建屋１は、複数の階を有し、その複数の階を連絡するために昇降機２が設置されている。昇降機２は建屋１に設けられた昇降路３０の中を上下に移動するように設置され、昇降路３０の最上部の機械室３１には昇降機を駆動するための巻き上げ機などの駆動機構及び昇降機制御盤２０が設置され、昇降機制御盤２０と各階の呼び出し操作盤（図示していない）は昇降機制御ケーブル２１で接続されている。
【００１６】
外部の幹線通信路から分岐した外部通信ケーブル３は建屋１の中に引き込まれ、建屋内の主配線盤１０に接続されている。建屋の各階にはケーブルを各個に分配する分配器１１が設置されている。主配線盤１０と分配器１１とは、一端に主配線盤側建屋内外部通信ケーブル接続コネクタ９ｂが取り付けられた建屋内外部通信ケーブル４と、一端に分配器側外部建屋内外部通信ケーブル接続コネクタ９ａが取り付けられた分配器接続ケーブル７によって接続されている。主配線盤側建屋内外部通信ケーブル接続コネクタ９ｂと分配器側外部建屋内外部通信ケーブル接続コネクタ９ａが取り付けられた建屋内外部通信ケーブル接続コネクタ９は、取り付けケース３５によって床５０と天井５１の間にある天井裏５２に接する昇降路壁３２に固定されている。また、分配器１１相互間は、一端に分配器側外部通信ケーブル接続コネクタ８ａが取り付けられた分配器接続ケーブル７と一端に渡りケーブル側外部通信ケーブル接続コネクタ８ｂが取り付けられた外部通信渡りケーブル５によって、昇降路３０の中で接続されている。このように各階の分配器１１は順次主配線盤１０に接続され各階への外部通信伝送路が形成されている。渡りケーブル側外部通信ケーブル接続コネクタ８ｂと分配器側外部通信ケーブル接続コネクタ８ａとを有する外部通信ケーブル接続コネクタ８は、取り付けケース３５に収容され床５０と天井５１の間にある天井裏５２に接する昇降路壁３２に固定されている。各階の分配器１１と各個の端末１２の間は個別接続ケーブル１３によって接続されている。各階の分配器１１は各階の部屋の内部に設置してもよいし、天井裏５２に設置してもよい。天井裏５２に分配器１１を設置した場合は、分配器接続ケーブル７、及び個別接続ケーブル１３は天井裏５２に配線することができる。
【００１７】
建屋内外部通信ケーブル４、外部通信渡りケーブル５は、数十心をまとめた中小容量のテープスロット型ケーブルが用いられるため、最小曲げ半径が１００〜２００ｍｍとなるように昇降路内に配置される。また、分配器接続ケーブル７も同様のテープスロット型ケーブルが用いられる。一方、個別接続ケーブル１３は最小曲げ半径は１５〜３０ｍｍ単心のインドアケーブルが用いられるので、分配器１１から既設の電話回線配管などの曲がり配管内に自在に配置される。
【００１８】
本発明の第１の実施形態によると、最小曲げ半径が１００〜２００ｍｍの数十心をまとめた中小容量のテープスロット型ケーブルを床に穴を開けずに配置できることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。また、各階を接続する渡りケーブルは長さが各階高程度であることから、コネクタ間のケーブル重量は軽量で別途ケーブルサポートを設置しなくとも光ファイバを損傷することがないので、特別なサポートなしでケーブルを敷設することができ、現場作業を低減し工事を短期間にすることができるという効果を奏する。さらに、空きスペースである天井裏スペースを分配器接続ケーブル７や個別接続ケーブル１３の配線スペースとして利用できることから配線が容易になる上、分配器１１や配線を目立たなくする美観上の効果がある。さらに、第三者の手が届かない場所にこれらの機器を設置することができることから、第三者のいたずらを防止することができる効果がある。
【実施例２】
【００１９】
本発明の第２の実施形態について図２を参照しながら説明する。第１の実施形態と同様の部分については同様の符号を用い説明は省略する。
【００２０】
第２の実施形態は、外部通信ケーブル接続コネクタ８は取り付けケース３５に収納されて床５０に接する昇降路の壁に固定されているか、あるいは、床５０の上のポスト５４の上に床板５３を載せて構成された上げ床と接する昇降路壁３２に固定されているか、床５０に設置された接続箱５５の中に固定されている。本実施形態は第１の実施形態と同様の効果を奏するほか、外部通信ケーブル接続コネクタ８が取り付けケース３５に収納されて床５０に接する昇降路の壁に固定されている場合には、分配器接続ケーブル７は床上に敷設されたカーペットの下に配設するアンダーカーペット配線とされ、分配器１１までの配線を目立たなくすることができる効果を奏する。また、配線を床上において処理することができることから、設置工事の作業性が優れ、工事が容易になるという効果を奏する。外部通信ケーブル接続コネクタ８が上げ床と接する昇降路壁３２に固定された場合には、分配器接続ケーブル７は上げ床の中を通すことができること、配線を床上において処理することができることから、上記と同様、設置工事の作業性が優れ、工事が容易になるという効果を奏する。床上の接続箱５５に接続した場合も上記同様の効果を奏する。
【実施例３】
【００２１】
本発明の第３の実施形態について図３を参照しながら説明する。第１、第２の実施形態と同様の部分については同様の符号を用い説明は省略する。
【００２２】
本発明の第３の実施形態では、建屋１の各階の昇降路３０の中にケーブルを各個に分配する分配器１１が設置され、分配器１１と室内側の端末１２は昇降路壁３２の壁孔３４を貫通する個別接続ケーブル１３にて接続されている。主配線盤１０と分配器１１とは昇降路３０の中で建屋内外部通信ケーブル接続コネクタ９を介して分配器接続ケーブル７と建屋内外部通信ケーブル４とで接続され、分配器１１間は昇降路３０内に設置された外部通信ケーブル接続コネクタ８を介して分配器接続ケーブル７と外部通信渡りケーブル５によって接続されている。壁孔３４は利用する場所にもっとも近く、配線が容易な場所から取り出すように複数の孔としてもよい。
【００２３】
このように、昇降路３０の中に分配器１１を配置する場合には、第１の実施形態の効果に加えて、分配器１１を室内に設置するスペースが必要ないので、室内スペースに余裕がない場合でも外部通信伝送路の設置が容易にできること、及び分配器１１を第三者の目に触れないところに配置することができることから、第三者のいたずらを防止することができるという効果を奏する。さらに複数の壁孔３４を設けた場合には、分配器１１から各端末１２へ最短距離で個別接続ケーブル１３の設置を行うことができることから、個別ケーブルの長さを短くできると共に、曲がりを少なくすることによって伝送品質の低下を防止することが容易になるという効果を奏する。
【実施例４】
【００２４】
今までの第１、第２、第３の実施形態は外部通信伝送路の設置形態に関するものであるが、第４の実施形態は床に穴を開けないで上記のケーブルを敷設する方法に関するものである。
【００２５】
以下、第４の実施形態について、図４を参照しながら説明する。ケーブルの敷設は次のような手順で行う。
（１）上部の階の天井裏５２に接する昇降路３０の昇降路壁３２に壁孔３４を開ける。また、必要に応じて天井５１の板の一部を取り外し作業スペースを確保する。
（２）開けた壁孔３４に天井裏５２からケーブル挿入ガイド４１を挿入する。ケーブル挿入ガイド４１は曲り管状のもので、曲り半径は、外部通信渡りケーブル５の最小曲げ半径以上となっている。ケーブル挿入ガイド４１は孔に挿入後、昇降路内側が略垂直下向きになるように位置を調整し、固定する。
（３）ケーブルを配線しようとする下側の階の天井裏５２に接する昇降路３０の昇降路壁３２にも上部の階と同様、壁孔３４を開ける。また、必要に応じて天井５１の板の一部を取り外し作業スペースを確保する。壁孔３４は上部の階のものよりも大きいものとしておく。
（４）開けた壁孔３４にケーブル引き出しガイド４２を挿入する。ケーブル引き出しガイド４２も曲り管状のもので、曲り半径は、外部通信渡りケーブル５の最小曲げ半径以上となっており、先端に漏斗状の受け口４３を有している。ケーブル引き出しガイド４２は孔に挿入後、受け口４３が略垂直上向きで、ケーブル挿入ガイド４１と受け口４３が対向するように位置を調整し、固定する。
（５）ケーブル引き出しガイド４２の室内側にジャバラダクト４５を接続する。吸引機４６を下側の階の床５０の上に配置し、吸引機４６にジャバラダクト４５を接続する。
（６）外部通信渡りケーブル５の先端にスポンジボール等の弾性体４４を取り付け、上部の階のケーブル挿入ガイド４１から挿入する。
（７）吸引機４６を運転し、昇降路３０の空気をケーブル引き出しガイド４２から吸い込む。このときに外部通信渡りケーブル５の先端に取り付けたスポンジボール等の弾性体４４を同時に受け入れ口４３から吸い込み、外部通信渡りケーブル５をケーブル取り出しガイド４２の中に取り込む。
（８）外部通信渡りケーブル５の先端がケーブル引き出しガイド４２から出てきたところで、吸引機４６の運転を停止し、ジャバラダクト４５を取り外して、外部通信渡りケーブル５を取り出した後、ケーブル挿入ガイド４１、ケーブル引き出しガイド４２を取り外す。このとき、ケーブル挿入ガイド４１、ケーブル引き出しガイド４２は昇降機の運行に支障がなければ取り外さなくてもよい。
（９）外部通信渡りケーブル５の両端に外部通信ケーブル接続コネクタ８を取り付けて、第１の実施形態と同様分配器１１と接続する。
【００２６】
本発明の第４の実施形態によると、床に穴を開けず、しかも昇降路内に入らなくとも外部通信ケーブルの敷設が可能であることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。また、昇降路内に入らなくとも作業できることから、工事のために昇降機を停止させる期間を最短にすることができ、建屋の居住者等の不便を最小にしてケーブルを敷設することができるという効果を奏する。さらに、第１の実施形態と同様、各階を接続する渡りケーブルは長さが各階高程度であることから、コネクタ間のケーブル重量が軽く、別途ケーブルサポートを設置することなくケーブルを敷設することができるので、現場作業を低減し工事を短期間にすることができるという効果を奏する。
【産業上の利用可能性】
【００２７】
本発明はエレベータなどの人貨用の昇降機の昇降路に限らず、小荷物専用昇降機や、自動車用エレベータなどの昇降路に外部通信伝送路を敷設する場合にも同様に適用することができる。また、主配線盤１０は建屋の下部に設置した場合に限らず建屋の上部の機械室３１の中など、どこに設置してもよい。
【図面の簡単な説明】
【００２８】
【図１】本発明の第１の実施形態の建屋内外部通信伝送路の説明図である。
【図２】本発明の第２の実施形態の建屋内外部通信伝送路の説明図である。
【図３】本発明の第３の実施形態の建屋内外部通信伝送路の説明図である。
【図４】本発明による外部通信渡りケーブルの敷設方法の説明図である。
【図５】光ケーブルによる通信伝送路網の概念図である。
【図６】光ファイバケーブルの断面図である。
【符号の説明】
【００２９】
１  建屋、２  昇降機、３  外部通信ケーブル、４  建屋内外部通信ケーブル、５  外部通信渡りケーブル、７  分配器接続ケーブル、８  外部通信ケーブル接続コネクタ、８ａ  分配器側外部通信ケーブル接続コネクタ、８ｂ  渡りケーブル側外部通信ケーブル接続コネクタ、９  建屋内外部通信ケーブル接続コネクタ、９ａ  分配器側外部建屋内外部通信ケーブル接続コネクタ、９ｂ  主配線盤側建屋内外部通信ケーブル接続コネクタ、１０  主配線盤、１１  分配器、１２  端末、１３  個別接続ケーブル、２０  昇降機制御盤、２１  昇降機制御ケーブル、３０  昇降路、３１  機械室、３２  昇降路壁、３４  壁孔、３５  取り付けケース、４１  ケーブル挿入ガイド、４２  ケーブル引き出しガイド、４３  受け口、４４  弾性体、４５  ジャバラダクト、４６  吸引機、５０  床、５１  天井、５２  天井裏、５３  床板、５４  ポスト、５５  接続箱、１０３  支線光ケーブル、１０４  建屋内光ケーブル、１０６  個別光ケーブル、１１０  主配線盤、１１１  分配器、１１２  端末、１１３  接続器、１１４  建物、１２１  テープ心線、１２２  溝つきスペーサ、１２３  テンションメンバ、１２４  押さえ巻き、１２５  ポリエチレンシース、１２６  スロット、１３０  インドアケーブル。
【図１】
2007121617.tif 000003
【図２】
2007121617.tif 000004
【図３】
2007121617.tif 000005
【図４】
2007121617.tif 000006
【図５】
2007121617.tif 000007
【図６】
2007121617.tif 000008